(57)【特許請求の範囲】
【請求項１】
複数の通信処理装置と、制御装置とを有する設定システムであって、
前記複数の通信処理装置は、ユーザ端末に通信サービスを提供するユーザ毎論理処理機能部を有し、
前記制御装置は、
前記通信処理装置を介さず、ＶＬＡＮによって直接的に接続されるユーザ端末から当該ＶＬＡＮを介してのみ接続要求を受信する受信部と、
前記受信部によって受信された接続要求に基づいて、前記複数の通信処理装置のうち前記ユーザ端末と通信を行う通信処理装置を決定する決定部と、
前記決定部によって決定された通信処理装置と前記ユーザ端末とをＶＬＡＮによって接続する設定を行う設定部と
を有し、
全ての前記通信処理装置は、
前記ユーザ端末から受信する接続要求を、前記制御装置に転送せずに破棄し、
前記制御装置の前記設定部は、前記ユーザ端末と通信を行うことが決定された前記通信処理装置の前記ユーザ毎論理処理機能部を起動してから、該通信処理装置の前記ユーザ毎論理処理機能部と前記ユーザ端末とをＶＬＡＮによって接続させることを特徴とする設定システム。
【請求項２】
複数の通信処理装置と、受信装置と、制御装置とを有する設定システムであって、
前記複数の通信処理装置は、ユーザ端末に通信サービスを提供するユーザ毎論理処理機能部を有し、
前記受信装置は、
前記通信処理装置を介さず、ＶＬＡＮによって直接的に接続されるユーザ端末から当該ＶＬＡＮを介してのみ接続要求を受信する受信部と、
前記受信部によって受信された接続要求を前記制御装置に転送する転送部と
を有し、
前記制御装置は、
前記転送部によって転送された接続要求に基づいて、前記複数の通信処理装置のうち前記ユーザ端末と通信を行う通信処理装置を決定する決定部と、
前記決定部によって決定された通信処理装置と前記ユーザ端末とをＶＬＡＮによって接続する設定を行う設定部と
を有し、
全ての前記通信処理装置は、
前記ユーザ端末から受信する接続要求を、前記制御装置に転送せずに破棄し、
前記制御装置の前記設定部は、前記ユーザ端末と通信を行うことが決定された前記通信処理装置の前記ユーザ毎論理処理機能部を起動してから、該通信処理装置の前記ユーザ毎論理処理機能部と前記ユーザ端末とをＶＬＡＮによって接続させることを特徴とする設定システム。
【請求項３】
複数の通信処理装置と、制御装置とを有する設定システムで実行される設定方法であって、
前記複数の通信処理装置は、ユーザ端末に通信サービスを提供するユーザ毎論理処理機能部を有し、
前記制御装置が、
前記通信処理装置を介さず、ＶＬＡＮによって直接的に接続されるユーザ端末から当該ＶＬＡＮを介してのみ接続要求を受信する受信工程と、
前記受信工程によって受信された接続要求に基づいて、前記複数の通信処理装置のうち前記ユーザ端末と通信を行う通信処理装置を決定する決定工程と、
前記決定工程によって決定された通信処理装置と前記ユーザ端末とをＶＬＡＮによって接続する設定を行う設定工程と
を含み、
全ての前記通信処理装置は、
前記ユーザ端末から受信する接続要求を、前記制御装置に転送せずに破棄し、
前記制御装置が、前記設定工程において、前記ユーザ端末と通信を行うことが決定された前記通信処理装置の前記ユーザ毎論理処理機能部を起動してから、該通信処理装置の前記ユーザ毎論理処理機能部と前記ユーザ端末とをＶＬＡＮによって接続させることを特徴とする設定方法。
【請求項４】
複数の通信処理装置と、受信装置と、制御装置とを有する設定システムで実行される設定方法であって、
前記複数の通信処理装置は、ユーザ端末に通信サービスを提供するユーザ毎論理処理機能部を有し、
前記受信装置が、
前記通信処理装置を介さず、ＶＬＡＮによって直接的に接続されるユーザ端末から当該ＶＬＡＮを介してのみ接続要求を受信する受信工程と、
前記受信工程によって受信された接続要求を前記制御装置に転送する転送工程と
を有し、
前記制御装置が、
前記転送工程によって転送された接続要求に基づいて、前記複数の通信処理装置のうち前記ユーザ端末と通信を行う通信処理装置を決定する決定工程と、
前記決定工程によって決定された通信処理装置と前記ユーザ端末とをＶＬＡＮによって接続する設定を行う設定工程と
を含み、
全ての前記通信処理装置は、
前記ユーザ端末から受信する接続要求を、前記制御装置に転送せずに破棄し、
前記制御装置が、前記設定工程において、前記ユーザ端末と通信を行うことが決定された前記通信処理装置の前記ユーザ毎論理処理機能部を起動してから、該通信処理装置の前記ユーザ毎論理処理機能部と前記ユーザ端末とをＶＬＡＮによって接続させることを特徴とする設定方法。
【発明の詳細な説明】
【技術分野】
【０００１】
本発明は、設定システム及び設定方法に関する。
【背景技術】
【０００２】
近年、ブロードバンドサービスの普及とともに各種の通信システムが知られている。例えば、多数のユーザにサービスを効率的に提供するために、一台の通信処理システムに複数のユーザ端末を接続するように設定する設定システムが知られている。
【０００３】
一例としては、設定システムは、ユーザが通信サービスを契約する毎に、かかるユーザが使用するユーザ端末に接続する通信処理システムを決定する。この点について、図１８を用いて説明する。図１８は、設定システムの一例を示す図である。図１８の例では、設定システム１０００は、ユーザ端末１０１０１〜１０１０４と、中継処理を行うスイッチであるＬ２ＳＷ１００５１〜１００５３と、通信サービスを提供する処理を行う通信処理装置１１００１〜１１００２とを有する。設定システム１０００は、ユーザ端末１０１０１〜１０１０４を使用するユーザが契約する毎に、接続先となる通信処理装置を非リアルタイムに設定する。図１８では、通信処理装置１１００１〜１１００２は、接続可能なユーザ端末の数である収容制限が２台の例である。また、図１８の例では、ユーザ端末１０１０１〜１０１０４を使用するユーザの契約数が４人である。このため、図１８の例では、２台の通信処理装置１１００１〜１１００２が必要となる。図１８に示すように、ユーザ端末１０１０１〜１０１０２は、Ｌ２ＳＷ１００５１および１００５３を介して、通信処理装置１１００１と接続される。ユーザ端末１０１０３〜１０１０４は、Ｌ２ＳＷ１００５２および１００５３を介して、通信処理装置１１００２と接続される。また、ユーザ端末１０１０１および１０１０４は、通信中である。一方、ユーザ端末１０１０２および１０１０３は、非通信中である。しかしながら、このような非リアルタイム方式の設定システム１０００では、ユーザの契約数に比例して必要な通信処理装置の数が決定されるので、非通信中のユーザ端末がある場合でも、契約ユーザの全てのユーザ端末を接続可能な数の通信処理装置が必要となる。
【０００４】
他の例としては、設定システムは、ユーザがユーザ端末を用いて通信サービスを利用する度に、かかるユーザ端末に接続する通信処理システムを決定する。この点について、図１９を用いて説明する。図１９は、設定システムの一例を示す図である。図１９の例では、設定システム２０００は、ユーザ端末２０１０１〜２０１０４と、Ｌ２ＳＷ２００５１〜２００５３と、通信処理装置２１００１とを有する。設定システム２０００は、ユーザがユーザ端末２０１０１〜２０１０４を用いて通信を行う度に、接続先となる通信処理装置をリアルタイムに設定する。このため、設定システム２０００では、通信中のユーザ端末の数に応じて必要な通信処理装置の数が決定される。図１９の例では、ユーザ端末２０１０１および２０１０４は、通信中である。一方、ユーザ端末２０１０２および２０１０３は、非通信中である。このため、設定システム２０００では、通信中のユーザ端末が２台なので、通信サービスを提供する通信処理装置は１台で足りる。したがって、設定システム２０００は、設定システム１０００と比較して、冗長なリソースを減らすことができるので、設置する通信処理装置の数を削減することができる。
【０００５】
このようなリアルタイム方式の設定システムの一例について図２０を用いて詳細に説明する。図２０は、設定システムの一例を示す図である。図２０の例では、設定システム３０００は、ユーザ端末３０１０１〜３０１０４と、Ｌ２ＳＷ３００５１〜３００５３と、通信処理装置３１００１〜３１００２と、制御装置３１５０とを有する。ユーザ端末３０１０１〜３０１０４と、Ｌ２ＳＷ３００５１〜３００５３と、通信処理装置３１００１〜３１００２と、制御装置３１５０とは、ネットワークを介して通信を行う。また、各通信処理装置は、全てのユーザ端末との間で論理回線（例えば、ＶＬＡＮ（Virtual  Local  Area  Network））が予め設定され、かかる論理回線によってユーザ端末と接続される。具体的には、通信処理装置３１００１は、論理回線ＶＬ１によってユーザ端末３０１０１と接続されている。また、通信処理装置３１００１は、論理回線ＶＬ２によってユーザ端末３０１０２と接続されている。また、通信処理装置３１００１は、論理回線ＶＬ３によってユーザ端末３０１０３と接続されている。また、通信処理装置３１００１は、論理回線ＶＬ４によってユーザ端末３０１０４と接続されている。同様に、通信処理装置３１００２は、論理回線ＶＬ１〜４によってユーザ端末３０１０１〜３０１０４と接続されている。また、通信処理装置３１００１〜３１００２は、ユーザ毎に異なる通信処理を行うユーザ毎論理処理機能部♯１〜２をそれぞれ有する。
【０００６】
図２０の例では、ユーザ端末３０１０４が通信を開始するために、通信処理装置との接続を要求する接続要求信号Ｔｒ１を送信する。そして、通信処理装置３１００１〜３１００２は、ユーザ端末３０１０４からそれぞれ接続要求信号Ｔｒ１を受信する。その後、通信処理装置３１００１〜３１００２は、受信した接続要求信号Ｔｒ１を制御装置３１５０にそれぞれ転送する。これにより、制御装置３１５０は、複数の通信処理装置３１００１〜３１００２から接続要求信号Ｔｒ１を受信する。そして、制御装置３１５０は、受信した接続要求信号Ｔｒ１に基づいて、通信処理装置のリソースなどを考慮し、ユーザ端末３０１０４と接続する通信処理装置を決定する。図２０では、制御装置３１５０は、通信処理装置３１００２のユーザ毎論理処理機能部＃２を、ユーザ端末３０１０４と接続する通信処理装置として決定する。そして、制御装置３１５０は、決定した通信処理装置３１００２のユーザ毎論理処理機能部＃２をユーザ端末３０１０４と接続する設定を行う。続いて、制御装置３１５０は、制御装置３１５０によって設定された通信処理装置３１００２のユーザ毎論理処理機能部＃２とユーザ端末３０１０４との接続に関する情報である設定信号Ｔｒ２を通信処理装置３１００２に送信する。これにより、通信処理装置３１００２のユーザ毎論理処理機能部＃２は、設定信号Ｔｒ２を制御装置３１５０から受信する。その後、通信処理装置３１００２のユーザ毎論理処理機能部＃２は、接続要求信号Ｔｒ１に対する回答としてユーザ端末３０１０４に回答信号Ｔｒ３を送信する。そして、ユーザ端末３０１０４は、通信処理装置３１００２のユーザ毎論理処理機能部＃２との間で通信を開始する。このような設定システムは、通信中のユーザ端末の数に応じて必要な通信処理装置の数が決まるので、設置する通信処理装置の数を削減することができる。
【先行技術文献】
【非特許文献】
【０００７】
【非特許文献１】東正和，木村健司，白井信也，“キャリアＮＷにおける加入者収容エッジの最適な実装方式の提案”，電子情報通信学会，信学技報，ＮＳ２０１３−２０，１１３（３５），ｐ．５１−５５，５月，２０１３年
【発明の概要】
【発明が解決しようとする課題】
【０００８】
しかしながら、上記の従来技術では、制御装置の負荷が大きいという問題があった。具体的には、上記技術では、全ての通信処理装置がユーザ端末から接続要求信号を受信し、受信した接続要求信号を制御装置に転送する。このため、制御装置は、全ての通信処理装置から受信した接続要求信号を処理するので、通信処理装置の数が多いほど処理負荷が大きくなるという問題があった。
【課題を解決するための手段】
【０００９】
上述した課題を解決し、目的を達成するために、本発明の設定システムは、複数の通信処理装置と、制御装置とを有する設定システムであって、前記複数の通信処理装置のうち論理回線によってユーザ端末と接続される一部の通信処理装置は、前記ユーザ端末から前記論理回線を介して接続要求を受信する受信部と、前記受信部によって受信された接続要求を前記制御装置に転送する転送部とを有し、前記制御装置は、前記転送部によって転送された接続要求に基づいて、前記複数の通信処理装置のうち前記ユーザ端末と通信を行う通信処理装置を決定する決定部と、前記決定部によって決定された通信処理装置と前記ユーザ端末とを論理回線によって接続する設定を行う設定部とを有することを特徴とする。
【発明の効果】
【００１０】
本発明によれば、制御装置の負荷を削減することができるという効果を奏する。
【図面の簡単な説明】
【００１１】
【図１】図１は、第１の実施の形態に係る設定システムの構成を示す図である。
【図２】図２は、第１の実施の形態に係る通信処理装置の構成を示す図である。
【図３】図３は、第１の実施形態に係る通信処理装置のユーザ情報記憶部の一例を示す図である。
【図４】図４は、第１の実施の形態に係る制御装置の構成を示す図である。
【図５】図５は、第１の実施形態に係る制御装置のユーザ情報記憶部の一例を示す図である。
【図６】図６は、第１の実施形態に係る設定処理の一例を説明するための説明図である。
【図７】図７は、第１の実施の形態に係る設定システムにおける設定処理の流れを示すシーケンス図である。
【図８】図８は、第２の実施の形態に係る通信処理装置の構成を示す図である。
【図９】図９は、第２の実施の形態に係る制御装置の構成を示す図である。
【図１０】図１０は、第２の実施形態に係る設定処理の一例を説明するための説明図である。
【図１１】図１１は、第２の実施形態に係る設定処理の一例を説明するための説明図である。
【図１２】図１２は、第２の実施の形態に係る設定システムにおける設定処理の流れを示すシーケンス図である。
【図１３】図１３は、第３の実施の形態に係る設定システムの構成を示す図である。
【図１４】図１４は、第３の実施の形態に係る受信装置の構成を示す図である。
【図１５】図１５は、第３の実施の形態に係る制御装置の構成を示す図である。
【図１６】図１６は、第３の実施の形態に係る設定システムにおける設定処理の流れを示すシーケンス図である。
【図１７】図１７は、変形例に係る設定処理の一例を説明するための説明図である。
【図１８】図１８は、設定システムの一例を示す図である。
【図１９】図１９は、設定システムの一例を示す図である。
【図２０】図２０は、設定システムの一例を示す図である。
【発明を実施するための形態】
【００１２】
以下に、本願に係る設定システムの実施の形態を図面に基づいて詳細に説明する。なお、この実施の形態により本願に係る設定システムが限定されるものではない。
【００１３】
［第１の実施の形態］
以下の実施の形態では、第１の実施の形態に係る設定システムの構成、通信処理装置の構成、制御装置の構成、設定システムの全体の処理の流れを順に説明し、最後に第１の実施の形態による効果を説明する。
【００１４】
［設定システムの構成］
図１を用いて、第１の実施の形態に係る設定システム１の構成を説明する。図１は、第１の実施の形態に係る設定システム１の構成を示す図である。設定システム１は、ユーザ端末１０１〜１０４と、複数の通信処理装置１００１〜１００２と、制御装置１５０とを有する。
【００１５】
ユーザ端末１０１〜１０４と、通信処理装置１００１〜１００２と、制御装置１５０とは、ネットワークＮを介して通信を行う。ネットワークＮの一態様としては、有線または無線を問わず、ＬＡＮやＶＰＮなどの通信網が挙げられる。例えば、ネットワークＮには、パケットに宛先情報として含まれるＭＡＣ（Media  Access  Control）アドレスで中継先を判断して中継動作を行うＬ２スイッチなどが含まれる。
【００１６】
なお、以下では、ユーザ端末１０１〜１０４を区別しない場合には、ユーザ端末１０と表記する場合がある。また、通信処理装置１００１〜１００２を区別しない場合には、通信処理装置１００と表記する場合がある。
【００１７】
また、図１の例では、ユーザ端末１０を４台とした場合を例示したが、これに限定されず、ユーザ端末１０を任意の数とすることができる。また、図１の例では、通信処理装置１００を２台とした場合を例示したが、これに限定されず、通信処理装置１００を任意の複数の数とすることができる。また、図１の例では、制御装置１５０を１台とした場合を例示したが、これに限定されず、制御装置１５０を複数のサーバコンピュータによって構成してもよい。
【００１８】
ユーザ端末１０は、ユーザが使用する端末装置である。具体的には、ユーザ端末１０は、通信処理装置１００が提供する通信サービスを契約するユーザなどによって使用される。例えば、ユーザ端末１０は、デスクトップ型ＰＣ（パーソナルコンピュータ）、ノート型ＰＣなど通信機能を有する各種の装置である。ユーザ端末１０は、制御装置１５０によって設定された論理回線（例えば、ＶＬＡＮ）を介して通信処理装置１００が提供する通信サービスを利用する。例えば、ユーザ端末１０は、複数の通信処理装置１００のうち一部の通信処理装置１００と予め論理回線によって接続される。そして、ユーザ端末１０は、複数の通信処理装置１００のうち論理回線によって接続される一部の通信処理装置１００に論理回線を介して接続要求を送信する。一例としては、ユーザ端末１０は、接続要求を送信する前に、複数の通信処理装置１００のうち一部の通信処理装置１００と論理回線によって接続される。また、ユーザ端末１０は、制御装置１５０によって設定された通信処理装置１００から接続要求に対する回答信号を受信する。そして、ユーザ端末１０は、回答信号を受信した場合に、回答信号の送信元の通信処理装置１００と通信を開始する。
【００１９】
複数の通信処理装置１００は、通信サービスを提供するサーバまたはルータである。例えば、複数の通信処理装置１００のうち論理回線によってユーザ端末１０と接続される一部の通信処理装置１００は、ユーザ端末１０から論理回線を介して接続要求を受信する。一例としては、複数の通信処理装置１００のうち一部の通信処理装置１００は、ユーザ端末１０から接続要求を受信する前に、通信処理装置１００が提供するサービスを受ける可能性のあるユーザ端末１０と論理回線によって接続される。また、論理回線によってユーザ端末１０と接続される一部の通信処理装置１００は、受信された接続要求を制御装置１５０に転送する。また、複数の通信処理装置１００のうち制御装置１５０によって論理回線が設定された通信処理装置１００は、ユーザ端末１０と通信を行う。サーバの場合はユーザ端末との間で通信処理を行い、ルータの場合はそのユーザからのデータを他網に転送する。
【００２０】
制御装置１５０は、ユーザ端末１０と通信を行う通信処理装置１００を制御するサーバである。例えば、制御装置１５０は、通信処理装置１００から転送された接続要求に基づいて、複数の通信処理装置１００のうちユーザ端末１０と通信を行う通信処理装置１００を決定する。そして、制御装置１５０は、決定された通信処理装置１００とユーザ端末１０とを接続する設定を行う。また、制御装置１５０は、ユーザ個別転送処理動作規定に基づく設定を行う。例えば、制御装置１５０は、通信処理装置１００とユーザ端末１０との間の通信において、サービスごとに、ユーザが契約しているサービスのトラヒックを通過させるように設定する。
【００２１】
このように、設定システム１では、制御装置１５０は、予め論理回線によってユーザ端末１０と接続されている通信処理装置１００から受信した接続要求信号のみを処理するので、制御装置１５０の負荷を削減することができる。
【００２２】
［通信処理装置の構成］
次に、第１の実施形態に係る通信処理装置１００について説明する。図２は、通信処理装置の機能的な構成の一例を示す図である。図２に示すように、通信処理装置１００は、通信Ｉ／Ｆ部１３０と、記憶部１３１と、制御部１３２とを有する。
【００２３】
通信Ｉ／Ｆ部１３０は、他の装置との間で通信制御を行うインタフェースである。通信Ｉ／Ｆ部１３０は、ネットワークＮを介して他の装置と各種情報を送受信する。例えば、通信Ｉ／Ｆ部１３０は、Ｌ２スイッチであるＬ２ＳＷを介して、複数の通信処理装置１００のうち予め論理回線によって接続されるユーザ端末１０から論理回線を介して接続要求信号を受信する。また、通信Ｉ／Ｆ部１３０は、Ｌ２ＳＷを介して、接続要求信号に対する回答信号を、接続要求信号の送信元であるユーザ端末１０に送信する。また、通信Ｉ／Ｆ部１３０は、ネットワークＮを介して、制御装置１５０によって設定された通信処理装置１００とユーザ端末１０との接続に関する情報である設定信号を制御装置１５０から受信する。通信Ｉ／Ｆ部１３０としては、ＬＡＮカードなどのネットワークインタフェースカードを採用できる。
【００２４】
記憶部１３１は、フラッシュメモリなどの半導体メモリ素子、ハードディスク、光ディスクなどの記憶装置である。なお、記憶部１３１は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。
【００２５】
記憶部１３１は、制御部１３２で実行されるＯＳ（Operating  System）や受信される要求を処理する各種プログラムを記憶する。さらに、記憶部１３１は、制御部１３２で実行されるプログラムで用いられる各種データを記憶する。例えば、記憶部１３１は、ユーザ情報記憶部１４０を有する。
【００２６】
ユーザ情報記憶部１４０は、ユーザに関する情報を記憶する。具体的には、ユーザ情報記憶部１４０は、ユーザ端末１０と通信を行うユーザ毎論理処理機能部やユーザが許可されているサービスに関する情報を記憶する。例えば、ユーザ情報記憶部１４０は、ユーザを、かかるユーザのユーザ端末と接続されるユーザ毎論理処理機能部やサービスと対応付けて記憶する。ここで、図３に、第１の実施形態に係る通信処理装置１００のユーザ情報記憶部１４０の一例を示す。図３に示すように、ユーザ情報記憶部１４０は、「ユーザ」、「端末」、「ユーザ毎論理処理機能部」、「電話サービス」といった項目を有する。
【００２７】
「ユーザ」は、ユーザを識別するためのユーザの名称を示す。「端末」は、ユーザが使用するユーザ端末の名称を示す。「ユーザ毎論理処理機能部」は、ユーザ端末と接続され通信を行うユーザ毎論理処理機能部の識別情報を示す。「電話サービス」は、ユーザが電話サービスを許可されているか否かを示す。なお、図３では、ユーザ情報記憶部１４０は、サービスの一例として電話サービスの許可の有無を記憶する例を示すが、これに限定されず、各種のサービスの許可の有無についてサービスごとに記憶する。
【００２８】
すなわち、図３では、ユーザ名「ユーザＡ」のユーザは、端末名「ユーザ端末１０４」のユーザ端末を使用する例を示している。また、端末名「ユーザ端末１０４」のユーザ端末は、ユーザ毎論理処理機能部「＃２」と接続されて通信を行う例を示している。また、ユーザ名「ユーザＡ」のユーザは、「電話サービス」を許可されている例を示している。
【００２９】
制御部１３２は、通信処理装置１００を制御するデバイスである。制御部１３２としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部１３２は、各種の処理手順を規定したプログラムや制御データを格納するための内部メモリを有し、これらによって種々の処理を実行する。制御部１３２は、各種のプログラムが動作することにより各種の処理部として機能する。例えば、制御部１３２は、受信部１３５と、転送部１３６と、送信部１３７と、ユーザ毎論理処理機能部＃１と、ユーザ毎論理処理機能部＃２とを有する。
【００３０】
受信部１３５は、ユーザ端末１０や制御装置１５０から各種の情報を受信する。具体的には、受信部１３５は、ユーザ端末１０から論理回線を介して接続要求を受信する。例えば、複数の通信処理装置１００のうち論理回線によってユーザ端末１０と接続される一部の通信処理装置１００の受信部１３５は、ユーザ端末１０から論理回線を介して接続要求を受信する。言い換えると、論理回線によってユーザ端末１０と接続される一部の通信処理装置１００以外の通信処理装置１００の受信部１３５は、ユーザ端末１０から接続要求を受信しない。また、受信部１３５は、制御装置１５０によって決定された通信処理装置１００のユーザ毎論理処理機能部とユーザ端末１０との接続に関する情報である設定信号を制御装置１５０から受信する。例えば、受信部１３５は、設定信号として、論理回線が設定されユーザ端末１０と通信を行うユーザ毎論理処理機能部に関する情報やサービスの許可に関する情報を制御装置１５０から受信する。そして、受信部１３５は、設定信号として受信した情報をユーザ情報記憶部１４０に格納する。例えば、受信部１３５は、ユーザ端末１０とユーザ毎論理処理機能部とを対応付けてユーザ情報記憶部１４０に格納する。
【００３１】
転送部１３６は、受信部１３５によって受信された接続要求を制御装置１５０に転送する。具体的には、複数の通信処理装置１００のうち予め論理回線によってユーザ端末１０と接続される一部の通信処理装置１００の転送部１３６は、ユーザ端末１０から受信した接続要求信号を制御装置１５０に転送する。言い換えると、論理回線によってユーザ端末１０と接続される一部の通信処理装置１００以外の通信処理装置１００の転送部１３６は、受信部１３５が接続要求をそもそも受信しないので、接続要求を制御装置１５０に転送しない。なお、このような論理回線によってユーザ端末１０と接続される一部の通信処理装置１００以外の通信処理装置１００は、接続要求を受信し、受信した接続要求を制御装置１５０に送信せずに破棄してもよい。
【００３２】
送信部１３７は、接続要求に対する回答をユーザ端末１０に送信する。具体的には、複数の通信処理装置１００のうち制御装置１５０によって決定された通信処理装置１００の送信部１３７は、接続要求の送信元であるユーザ端末１０に回答信号を送信する。例えば、送信部１３７は、制御装置１５０から接続に関する情報を受信した場合に、論理回線を介して、接続要求に対する回答信号をユーザ端末１０に送信する。
【００３３】
ユーザ毎論理処理機能部＃１〜＃２は、ユーザ端末１０に通信サービスを提供する。具体的には、複数のユーザ毎論理処理機能部＃１〜＃２のうち制御装置１５０によって決定されたユーザ毎論理処理機能部は、制御装置１５０によって設定された論理回線によりユーザ端末１０と接続される。そして、複数のユーザ毎論理処理機能部＃１〜＃２のうち制御装置１５０によって決定されたユーザ毎論理処理機能部は、論理回線を介して接続要求の送信元であるユーザ端末１０と通信を行う。例えば、ユーザ毎論理処理機能部は、送信部１３７によって回答信号がユーザ端末１０に送信された場合に、回答信号を受信したユーザ端末１０との通信を開始する。なお、図２の例では、説明を簡単にするためユーザ毎論理処理機能部を２台とした場合を例示したが、これに限定されず、ユーザ毎論理処理機能部を任意の数とすることができる。
【００３４】
［制御装置の構成］
次に、第１の実施形態に係る制御装置１５０について説明する。図４は、制御装置の機能的な構成の一例を示す図である。図４に示すように、制御装置１５０は、通信Ｉ／Ｆ部１８０と、記憶部１８１と、制御部１８２とを有する。
【００３５】
通信Ｉ／Ｆ部１８０は、他の装置との間で通信制御を行うインタフェースである。通信Ｉ／Ｆ部１８０は、ネットワークＮを介して他の装置と各種情報を送受信する。例えば、通信Ｉ／Ｆ部１８０は、ネットワークＮを介して、複数の通信処理装置１００のうち予め論理回線によってユーザ端末１０と接続される一部の通信処理装置１００から接続要求信号を受信する。また、通信Ｉ／Ｆ部１８０は、ネットワークＮを介して、通信処理装置１００とユーザ端末１０との接続に関する情報である設定信号を通信処理装置１００に送信する。通信Ｉ／Ｆ部１８０としては、ＬＡＮカードなどのネットワークインタフェースカードを採用できる。
【００３６】
記憶部１８１は、フラッシュメモリなどの半導体メモリ素子、ハードディスク、光ディスクなどの記憶装置である。なお、記憶部１８１は、ＲＡＭ、フラッシュメモリ、ＮＶＳＲＡＭなどのデータを書き換え可能な半導体メモリであってもよい。
【００３７】
記憶部１８１は、制御部１８２で実行されるＯＳや受信される要求を処理する各種プログラムを記憶する。さらに、記憶部１８１は、制御部１８２で実行されるプログラムで用いられる各種データを記憶する。例えば、記憶部１８１は、ユーザ情報記憶部１９０を有する。
【００３８】
ユーザ情報記憶部１９０は、ユーザに関する情報を記憶する。具体的には、ユーザ情報記憶部１９０は、ユーザ端末１０と通信を行う通信処理装置１００のユーザ毎論理処理機能部やユーザが許可されているサービスに関する情報を記憶する。例えば、ユーザ情報記憶部１９０は、ユーザを、かかるユーザのユーザ端末と接続される通信処理装置１００のユーザ毎論理処理機能部やサービスと対応付けて記憶する。ここで、図５に、第１の実施形態に係る制御装置１５０のユーザ情報記憶部１９０の一例を示す。図５に示すように、ユーザ情報記憶部１９０は、「ユーザ」、「端末」、「通信処理装置」、「ユーザ毎論理処理機能部」、「電話サービス」といった項目を有する。
【００３９】
「ユーザ」は、ユーザを識別するためのユーザの名称を示す。「端末」は、ユーザが使用するユーザ端末の名称を示す。「通信処理装置」は、ユーザ端末と通信を行う通信処理装置の名称を示す。「ユーザ毎論理処理機能部」は、通信処理装置が有する複数のユーザ毎論理処理機能部のうちユーザ端末と接続され通信を行うユーザ毎論理処理機能部の識別情報を示す。「電話サービス」は、ユーザが電話サービスを許可されているか否かを示す。
【００４０】
すなわち、図５では、ユーザ名「ユーザＡ」のユーザは、端末名「ユーザ端末１０４」のユーザ端末を使用する例を示している。また、端末名「ユーザ端末１０４」のユーザ端末は、通信処理装置１００１のユーザ毎論理処理機能部「＃２」と接続されて通信を行う例を示している。また、ユーザ名「ユーザＡ」のユーザは、「電話サービス」を許可されている例を示している。なお、図５では、ユーザ情報記憶部１９０は、サービスの一例として電話サービスの許可の有無を記憶する例を示すが、これに限定されず、各種のサービスの許可の有無についてサービスごとに記憶する。
【００４１】
制御部１８２は、制御装置１５０を制御するデバイスである。制御部１８２としては、ＣＰＵ、ＭＰＵ等の電子回路や、ＡＳＩＣ、ＦＰＧＡ等の集積回路を採用できる。制御部１８２は、各種の処理手順を規定したプログラムや制御データを格納するための内部メモリを有し、これらによって種々の処理を実行する。制御部１８２は、各種のプログラムが動作することにより各種の処理部として機能する。例えば、制御部１８２は、受信部１８５と、決定部１８６と、設定部１８７と、送信部１８８とを有する。
【００４２】
受信部１８５は、通信処理装置１００から各種の情報を受信する。具体的には、受信部１８５は、通信処理装置１００から転送された接続要求を受信する。例えば、受信部１８５は、複数の通信処理装置１００のうち予め論理回線によってユーザ端末１０と接続される一部の通信処理装置１００から論理回線を介して接続要求を受信する。言い換えると、受信部１８５は、論理回線によってユーザ端末１０と接続される一部の通信処理装置１００以外の通信処理装置１００から接続要求を受信しない。
【００４３】
決定部１８６は、ユーザ端末１０と通信を行う通信処理装置１００を決定する。具体的には、決定部１８６は、通信処理装置１００の転送部１３６によって転送された接続要求に基づいて、複数の通信処理装置１００のうちユーザ端末１０と通信を行う通信処理装置１００を決定する。例えば、決定部１８６は、複数の通信処理装置１００のリソース等を考慮してユーザ端末１０と通信を行う通信処理装置１００のユーザ毎論理処理機能部を決定する。
【００４４】
設定部１８７は、ユーザ端末１０と通信を行う通信処理装置１００の設定を行う。具体的には、設定部１８７は、決定部１８６によって決定された通信処理装置１００とユーザ端末１０とを接続する設定を行う。例えば、設定部１８７は、決定部１８６によって決定された通信処理装置１００のユーザ毎論理処理機能部とユーザ端末１０との間に論理回線を設定する。一例としては、設定部１８７は、決定部１８６によって決定された通信処理装置１００のユーザ毎論理処理機能部を起動し、かかる通信処理装置１００のユーザ毎論理処理機能部とユーザ端末１０とを論理回線によって接続する。そして、設定部１８７は、決定部１８６によって決定された通信処理装置１００とユーザ端末１０とを対応付けてユーザ情報記憶部１９０に格納する。また、設定部１８７は、ユーザ個別転送処理動作規定に基づく設定を行う。例えば、設定部１８７は、通信処理装置１００とユーザ端末１０との間の通信において、ユーザが契約しているサービスのトラヒックを通過させるように設定する。一例としては、設定部１８７は、ユーザＡが電話サービスを契約している場合に、ユーザＡが使用するユーザ端末１０からの電話サービスのトラヒックを通過させるように設定する。
【００４５】
送信部１８８は、通信処理装置１００の設定に関する情報を送信する。具体的には、送信部１８８は、設定部１８７によって設定された通信処理装置１００とユーザ端末１０との間の接続に関する情報である設定信号を、決定部１８６によって決定された通信処理装置１００に送信する。例えば、送信部１８８は、設定信号として、論理回線が設定されユーザ端末１０と通信を行う通信処理装置１００のユーザ毎論理処理機能部に関する情報やサービスの許可に関する情報を送信する。
【００４６】
ここで、図６を用いて、第１の実施形態に係る設定システム１による設定処理の一例について説明する。図６は、第１の実施形態に係る設定処理の一例を説明するための説明図である。図６に示すように、設定システム１は、ユーザ端末１０１〜１０４と、ユーザ端末１０１〜１０４と通信処理装置１００との間の通信を中継するＬ２スイッチであるＬ２ＳＷ５１〜５３と、複数の通信処理装置１００１〜１００２と、制御装置１５０とを有する。なお、以下では、Ｌ２ＳＷ５１〜５３を区別しない場合には、Ｌ２ＳＷ５と表記する場合がある。
【００４７】
図６の例では、複数の通信処理装置１００１〜１００２と、制御装置１５０とは、図示しないネットワークを介して通信を行う。また、複数の通信処理装置１００１〜１００２のうち通信処理装置１００２は、論理回線ＶＬ１００によってユーザ端末１０１〜１０４と予め接続されている。一例としては、複数の通信処理装置１００１〜１００２のうち通信処理装置１００２は、接続要求を受信する前に、論理回線ＶＬ１００によってユーザ端末１０１〜１０４と接続される。なお、以下では、設定システム１が、ユーザ端末１０４と通信を開始する通信処理装置として通信処理装置１００１のユーザ毎論理処理機能部＃２を設定する例を説明する。
【００４８】
まず、ユーザ端末１０４は、複数の通信処理装置１００１〜１００２のうち論理回線ＶＬ１００によってユーザ端末１０４と接続されている通信処理装置１００２に論理回線を介して接続要求信号Ｔｒ１を送信する。これにより、通信処理装置１００２は、論理回線ＶＬ１００を介して、ユーザ端末１０４から接続要求信号Ｔｒ１を受信する。
【００４９】
その後、通信処理装置１００２は、ユーザ端末１０４から受信した接続要求信号Ｔｒ１を制御装置１５０に転送する。そして、制御装置１５０は、受信した接続要求信号Ｔｒ１に基づいて、複数の通信処理装置１００１〜１００２のうちユーザ端末１０４と通信を行う通信処理装置として、通信処理装置１００１のユーザ毎論理処理機能部♯２を決定する。
【００５０】
そして、制御装置１５０は、複数の通信処理装置１００１〜１００２のうち通信処理装置１００１のユーザ毎論理処理機能部♯２と、ユーザ端末１０４とを論理回線ＶＬ１０４によって接続する設定を行う。これにより、複数の通信処理装置１００１〜１００２のうち通信処理装置１００１のユーザ毎論理処理機能部♯２は、ユーザ端末１０４と論理回線ＶＬ１０４によって接続される。また、制御装置１５０は、ユーザ個別転送処理動作規定に基づく設定を行う。
【００５１】
その後、制御装置１５０は、制御装置１５０によって設定された通信処理装置１００１のユーザ毎論理処理機能部＃２とユーザ端末１０４との接続に関する情報である設定信号Ｔｒ２を通信処理装置１００１に送信する。これにより、通信処理装置１００１は、設定信号Ｔｒ２を制御装置１５０から受信する。
【００５２】
そして、通信処理装置１００１のユーザ毎論理処理機能部♯２は、論理回線ＶＬ１０４を介して、接続要求信号Ｔｒ１に対する回答信号Ｔｒ３をユーザ端末１０４に送信する。これにより、ユーザ端末１０４は、論理回線ＶＬ１０４を介して、回答信号Ｔｒ３を受信する。そして、ユーザ端末１０４は、論理回線ＶＬ１０４を介して、通信処理装置１００１のユーザ毎論理処理機能部♯２と通信を開始する。
【００５３】
このように、設定システム１は、複数の通信処理装置１００のうち予め論理回線によってユーザ端末と接続されている通信処理装置が接続要求を制御装置１５０に転送する。これにより、設定システム１では、制御装置１５０は、予め論理回線によってユーザ端末と接続されている通信処理装置から受信した接続要求信号のみを処理するので、制御装置１５０の負荷を削減することができる。例えば、設定システム１では、接続要求を転送する通信処理装置１００の数が少ないほど制御装置の処理負荷を削減することができる。一例としては、設定システム１では、接続要求を転送する通信処理装置１００を１台にすることで制御装置の処理負荷を最小限に抑えることができる。また、第１の実施の形態に係る設定システム１では、予め論理回線によってユーザ端末と接続されている通信処理装置のみが接続要求信号を送信するので、ネットワーク内のトラヒックを抑えることができる。
【００５４】
［処理手順］
次に、図７を用いて、第１の実施の形態に係る設定システム１における設定処理の流れについて説明する。図７は、第１の実施の形態に係る設定システムにおける設定処理の流れを示すシーケンス図である。
【００５５】
図７の例では、設定システム１は、ユーザがユーザ端末１０を用いて通信サービスを利用する際に接続を要求する操作を実行した場合に、設定処理を開始する。
【００５６】
具体的には、まず、ユーザ端末１０は、ユーザから接続要求の操作を受け付けた場合に、複数の通信処理装置１００のうち予め論理回線によってユーザ端末１０と接続される一部の通信処理装置１００に論理回線を介して接続要求を送信する（ステップＳ１０１）。これにより、複数の通信処理装置１００のうち予め論理回線によってユーザ端末１０と接続される一部の通信処理装置１００は、ユーザ端末１０から論理回線を介して接続要求を受信する。
【００５７】
そして、複数の通信処理装置１００のうち予め論理回線によってユーザ端末１０と接続される一部の通信処理装置１００は、受信された接続要求を制御装置１５０に転送する（ステップＳ１０２）。これにより、制御装置１５０は、複数の通信処理装置１００のうち予め論理回線によってユーザ端末１０と接続される一部の通信処理装置１００から接続要求を受信する。
【００５８】
その後、制御装置１５０は、転送された接続要求に基づいて、複数の通信処理装置１００のうちユーザ端末１０と通信を行う通信処理装置１００を決定する（ステップＳ１０３）。例えば、制御装置１５０は、通信処理装置１００のリソースなどを考慮して、複数の通信処理装置１００のうちユーザ端末１０と通信を行う通信処理装置１００のユーザ毎論理処理機能部を決定する。
【００５９】
また、制御装置１５０は、決定された通信処理装置１００とユーザ端末１０とを論理回線によって接続する設定を行う（ステップＳ１０４）。例えば、制御装置１５０は、決定された通信処理装置１００のユーザ毎論理処理機能部を起動し、かかる通信処理装置１００のユーザ毎論理処理機能部とユーザ端末１０とを論理回線によって接続する。また、制御装置１５０は、ユーザ個別転送処理動作規定に基づく設定を行う。例えば、制御装置１５０は、通信処理装置１００とユーザ端末１０との間の通信において、ユーザが契約しているサービスのトラヒックを通過させるように設定する。
【００６０】
そして、制御装置１５０は、決定した通信処理装置１００をユーザ端末１０と対応付けてユーザ情報記憶部１９０に格納する（ステップＳ１０５）。例えば、制御装置１５０は、決定した通信処理装置１００とユーザ端末１０とを、ユーザやサービスと対応付けて格納する。
【００６１】
その後、制御装置１５０は、通信処理装置１００のユーザ毎論理処理機能部とユーザ端末１０との接続に関する情報である設定信号を、決定した通信処理装置１００に送信する（ステップＳ１０６）。例えば、制御装置１５０は、設定信号として、論理回線が設定されユーザ端末１０と通信を行うユーザ毎論理処理機能部に関する情報やサービスの許可に関する情報を送信する。
【００６２】
そして、通信処理装置１００は、設定信号として受信した情報をユーザ情報記憶部１４０に格納する（ステップＳ１０７）。例えば、通信処理装置１００は、ユーザ端末１０とユーザ毎論理処理機能部とを、ユーザやサービスと対応付けてユーザ情報記憶部１４０に格納する。
【００６３】
その後、通信処理装置１００は、回答信号をユーザ端末１０に送信する（ステップＳ１０８）。具体的には、通信処理装置１００は、ステップＳ１０１において送信された接続要求の送信元であるユーザ端末１０に回答信号を送信する。これにより、ユーザ端末１０は、接続先となる通信処理装置１００から回答信号を受信する。そして、ユーザ端末１０は、回答信号を受信した場合に、回答信号の送信元である通信処理装置１００のユーザ毎論理処理機能部と通信を開始する（ステップＳ１０９）。
【００６４】
［第１の実施の形態の効果］
このように、第１の実施の形態に係る設定システム１は、複数の通信処理装置１００と、制御装置１５０とを有する。複数の通信処理装置１００のうち論理回線によってユーザ端末１０と接続される一部の通信処理装置１００は、ユーザ端末１０から論理回線を介して接続要求を受信する受信部１３５と、受信部１３５によって受信された接続要求を制御装置１５０に転送する転送部１３６とを有する。制御装置１５０は、転送部１３６によって転送された接続要求に基づいて、複数の通信処理装置１００のうちユーザ端末１０と通信を行う通信処理装置１００を決定する決定部１８６と、決定部１８６によって決定された通信処理装置１００とユーザ端末１０とを論理回線によって接続する設定を行う設定部１８７とを有する。
【００６５】
これにより、第１の実施の形態に係る設定システム１では、制御装置１５０は、予め論理回線によってユーザ端末と接続されている通信処理装置から受信した接続要求信号のみを処理するので、制御装置１５０の負荷を削減することができる。例えば、設定システム１では、接続要求を転送する通信処理装置１００の数が少ないほど制御装置の処理負荷を削減することができる。一例としては、設定システム１では、接続要求を転送する通信処理装置１００を１台にすることで制御装置の処理負荷を最小限に抑えることができる。また、第１の実施の形態に係る設定システム１では、予め論理回線によってユーザ端末と接続されている通信処理装置のみが接続要求信号を送信するので、ネットワーク内のトラヒックを抑えることができる。
【００６６】
［第２の実施の形態］
上記の第１の実施の形態では、設定システム１は、複数の通信処理装置１００のうち論理回線によってユーザ端末１０と接続される一部の通信処理装置１００が、ユーザ端末１０から接続要求を受信し、受信した接続要求を制御装置１５０に転送する場合を説明したが、これに限定されない。具体的には、設定システム１では、制御装置１５０が、通信処理装置１００を介さずにユーザ端末１０から接続要求を直接的に受信してもよい。例えば、第２の実施の形態では、設定システム２は、複数の通信処理装置２００と、制御装置２５０とを有する。制御装置２５０は、論理回線によって接続されるユーザ端末２１０から論理回線を介して接続要求を受信する受信部２８５と、受信部２８５によって受信された接続要求に基づいて、複数の通信処理装置２００のうちユーザ端末２１０と通信を行う通信処理装置２００を決定する決定部２８６と、決定部２８６によって決定された通信処理装置２００とユーザ端末２１０とを論理回線によって接続する設定を行う設定部２８７とを有する。この点について、図８〜１２を用いて詳細に説明する。なお、上記の実施の形態と同様の機能を発揮する機能部については同一の符号を付し、その説明を省略することとする。
【００６７】
［通信処理装置の構成］
図８は、第２の実施の形態に係る通信処理装置の構成を示す図である。図８に示すように、通信処理装置２００は、通信Ｉ／Ｆ部１３０と、記憶部１３１と、制御部２３２とを有する。
【００６８】
制御部２３２は、受信部２３５と、転送部２３６と、送信部２３７と、ユーザ毎論理処理機能部＃１と、ユーザ毎論理処理機能部＃２とを有する。なお、ユーザ毎論理処理機能部＃１〜＃２は、第１の実施形態に係る通信処理装置１００が有するユーザ毎論理処理機能部＃１〜＃２と同様の機能を有する。
【００６９】
受信部２３５は、ユーザ端末２１０や制御装置２５０から各種の情報を受信する。例えば、受信部２３５は、ユーザ端末２１０から接続要求を受信する。また、受信部２３５は、制御装置２５０によって決定された通信処理装置２００のユーザ毎論理処理機能部とユーザ端末２１０との接続に関する情報である設定信号を制御装置２５０から受信する。そして、受信部２３５は、設定信号として受信した情報をユーザ情報記憶部１４０に格納する。
【００７０】
転送部２３６は、受信部２３５によって受信された接続要求を制御装置２５０に転送せずに破棄する。例えば、複数の通信処理装置２００のうち全ての通信処理装置２００は、ユーザ端末２１０から受信した接続要求信号を破棄する。このため、通信処理装置２００から制御装置２５０には接続要求信号が送信されない。
【００７１】
送信部２３７は、接続要求に対する回答をユーザ端末２１０に送信する。具体的には、複数の通信処理装置２００のうち制御装置２５０によって決定された通信処理装置２００の送信部２３７は、接続要求の送信元であるユーザ端末２１０に回答信号を送信する。
【００７２】
［制御装置の構成］
図９は、第２の実施の形態に係る制御装置の構成を示す図である。図９に示すように、制御装置２５０は、通信Ｉ／Ｆ部１８０と、記憶部１８１と、制御部２８２とを有する。
制御部２８２は、受信部２８５と、決定部２８６と、設定部２８７と、送信部２８８とを有する。
【００７３】
受信部２８５は、ユーザ端末２１０から接続要求を受信する。具体的には、受信部２８５は、論理回線によって制御装置２５０に接続されたユーザ端末２１０から論理回線を介して接続要求を受信する。例えば、受信部２８５は、通信処理装置２００を介さずに、ユーザ端末２１０から接続要求を直接的に受信する。
【００７４】
決定部２８６は、ユーザ端末２１０と通信を行う通信処理装置２００を決定する。具体的には、決定部２８６は、受信部２８５によって受信された接続要求に基づいて、複数の通信処理装置２００のうちユーザ端末２１０と通信を行う通信処理装置２００を決定する。
【００７５】
設定部２８７は、ユーザ端末２１０と通信を行う通信処理装置２００の設定を行う。具体的には、設定部２８７は、決定部２８６によって決定された通信処理装置２００とユーザ端末２１０とを論理回線によって接続する設定を行う。そして、設定部２８７は、決定部２８６によって決定された通信処理装置２００とユーザ端末２１０とを対応付けてユーザ情報記憶部１９０に格納する。また、設定部２８７は、ユーザ個別転送処理動作規定に基づく設定を行う。
【００７６】
送信部２８８は、通信処理装置２００の設定に関する情報を送信する。具体的には、送信部２８８は、設定部２８７によって設定された通信処理装置２００とユーザ端末２１０との間の接続に関する情報である設定信号を、決定部２８６によって決定された通信処理装置２００に送信する。
【００７７】
ここで、図１０および図１１を用いて、第２の実施形態に係る設定システム２による設定処理の一例について説明する。図１０および図１１は、第２の実施形態に係る設定処理の一例を説明するための説明図である。図１０および図１１に示すように、設定システム２は、ユーザ端末２１０１〜２１０４と、Ｌ２ＳＷ５１〜５３と、複数の通信処理装置２００１〜２００２と、制御装置２５０とを有する。
【００７８】
図１０の例では、複数の通信処理装置２００１〜２００２と、制御装置２５０とは、図示しないネットワークを介して通信を行う。また、制御装置２５０は、論理回線ＶＬ２１によってユーザ端末２１０１と予め接続されている。一例としては、制御装置２５０は、ユーザ端末２１０１から接続要求を受信する前に、論理回線ＶＬ２１によってユーザ端末１０１と接続される。同様に、制御装置２５０は、論理回線ＶＬ２２〜２４によってユーザ端末２１０２〜２１０４と予め接続されている。なお、以下では、設定システム２が、ユーザ端末２１０４と通信を開始する通信処理装置として通信処理装置２００１のユーザ毎論理処理機能部＃２を設定する例を説明する。
【００７９】
まず、ユーザ端末２１０４は、予め論理回線ＶＬ２４によって接続されている制御装置２５０に論理回線ＶＬ２４を介して接続要求信号Ｔｒ１を送信する。これにより、制御装置２５０は、ユーザ端末２１０４から論理回線ＶＬ２４を介して接続要求信号Ｔｒ１を受信する。
【００８０】
そして、制御装置２５０は、ユーザ端末２１０４から通信処理装置２００１〜２００２を介さずに直接的に受信した接続要求信号Ｔｒ１に基づいて、複数の通信処理装置２００１〜２００２のうちユーザ端末２１０４と通信を行う通信処理装置として、通信処理装置２００１のユーザ毎論理処理機能部♯２を決定する。
【００８１】
そして、制御装置２５０は、複数の通信処理装置２００１〜２００２のうち通信処理装置２００１のユーザ毎論理処理機能部♯２と、ユーザ端末２１０４とを論理回線ＶＬ２０４によって接続する設定を行う。これにより、複数の通信処理装置２００１〜２００２のうち通信処理装置２００１のユーザ毎論理処理機能部♯２は、図１１に示すように、ユーザ端末２１０４と論理回線ＶＬ２０４によって接続される。また、制御装置２５０は、ユーザ個別転送処理動作規定に基づく設定を行う。
【００８２】
その後、制御装置２５０は、制御装置２５０によって設定された通信処理装置２００１のユーザ毎論理処理機能部＃２とユーザ端末２１０４との接続に関する情報である設定信号Ｔｒ２を通信処理装置２００１に送信する。これにより、通信処理装置２００１は、設定信号Ｔｒ２を制御装置２５０から受信する。
【００８３】
そして、通信処理装置２００１のユーザ毎論理処理機能部♯２は、論理回線ＶＬ２０４を介して、接続要求信号Ｔｒ１に対する回答信号Ｔｒ３をユーザ端末２１０４に送信する。これにより、ユーザ端末２１０４は、回答信号Ｔｒ３を受信する。そして、ユーザ端末２１０４は、論理回線ＶＬ２０４を介して、通信処理装置２００１のユーザ毎論理処理機能部♯２と通信を開始する。
【００８４】
このように、設定システム２は、制御装置２５０が、通信処理装置２００を介さずにユーザ端末２１０から接続要求を直接的に受信して設定処理を実行する。これにより、設定システム２では、制御装置２５０は、複数の通信処理装置から転送された接続要求信号を処理する場合と比較して、制御装置２５０の負荷を削減することができる。例えば、設定システム２では、通信処理装置２００の設置台数に関わらず制御装置２５０の処理負荷を削減することができる。
【００８５】
［処理手順］
次に、図１２を用いて、第２の実施の形態に係る設定システム２における設定処理の流れについて説明する。図１２は、第２の実施の形態に係る設定システムにおける設定処理の流れを示すシーケンス図である。
【００８６】
図１２の例では、設定システム２は、ユーザがユーザ端末２１０を用いて通信サービスを利用する際に接続を要求する操作を実行した場合に、設定処理を開始する。
【００８７】
具体的には、まず、ユーザ端末２１０は、ユーザから接続要求の操作を受け付けた場合に、予め論理回線によって接続される制御装置２５０に論理回線を介して接続要求を送信する（ステップＳ２０１）。これにより、制御装置２５０は、ユーザ端末２１０から接続要求を受信する。
【００８８】
その後、制御装置２５０は、受信した接続要求に基づいて、複数の通信処理装置２００のうちユーザ端末２１０と通信を行う通信処理装置２００を決定する（ステップＳ２０２）。例えば、制御装置２５０は、複数の通信処理装置２００のうちユーザ端末２１０と通信を行う通信処理装置として、通信処理装置２００のユーザ毎論理処理機能部を決定する。
【００８９】
また、制御装置２５０は、決定された通信処理装置２００とユーザ端末２１０とを論理回線によって接続する設定を行う（ステップＳ２０３）。また、制御装置２５０は、ユーザ個別転送処理動作規定に基づく設定を行う。
【００９０】
そして、制御装置２５０は、決定した通信処理装置２００をユーザ端末２１０と対応付けてユーザ情報記憶部１９０に格納する（ステップＳ２０４）。例えば、制御装置２５０は、決定した通信処理装置２００のユーザ毎論理処理機能部とユーザ端末２１０とを、ユーザやサービスと対応付けて格納する。
【００９１】
その後、制御装置２５０は、通信処理装置２００のユーザ毎論理処理機能部とユーザ端末２１０との接続に関する情報である設定信号を、決定した通信処理装置２００に送信する（ステップＳ２０５）。これにより、通信処理装置２００は、設定信号を制御装置２５０から受信する。
【００９２】
そして、通信処理装置２００は、設定信号として受信した情報をユーザ情報記憶部１４０に格納する（ステップＳ２０６）。例えば、通信処理装置２００は、ユーザ端末２１０とユーザ毎論理処理機能部とを、ユーザやサービスと対応付けてユーザ情報記憶部１４０に格納する。
【００９３】
その後、通信処理装置２００は、回答信号をユーザ端末２１０に送信する（ステップＳ２０７）。具体的には、通信処理装置２００は、ステップＳ２０１において送信された接続要求の送信元であるユーザ端末２１０に回答信号を送信する。これにより、ユーザ端末２１０は、接続先となる通信処理装置２００から回答信号を受信する。そして、ユーザ端末２１０は、回答信号を受信した場合に、回答信号の送信元である通信処理装置２００のユーザ毎論理処理機能部と通信を開始する（ステップＳ２０８）。
【００９４】
［第２の実施の形態の効果］
このように、第２の実施の形態に係る設定システム２は、複数の通信処理装置２００と、制御装置２５０とを有する。制御装置２５０は、論理回線によって接続されるユーザ端末２１０から論理回線を介して接続要求を受信する受信部２８５と、受信部２８５によって受信された接続要求に基づいて、複数の通信処理装置２００のうちユーザ端末２１０と通信を行う通信処理装置２００を決定する決定部２８６と、決定部２８６によって決定された通信処理装置２００とユーザ端末２１０とを論理回線によって接続する設定を行う設定部２８７とを有する。
【００９５】
これにより、第２の実施の形態に係る設定システム２では、制御装置２５０は、複数の通信処理装置から転送された接続要求信号を処理する場合と比較して、制御装置２５０の負荷を削減することができる。例えば、設定システム２では、通信処理装置２００の設置台数に関わらず制御装置２５０の処理負荷を削減することができる。
【００９６】
また、第２の実施の形態に係る複数の通信処理装置２００は、ユーザ端末２１０から受信する接続要求を、制御装置２５０に転送せずに破棄する。これにより、第２の実施の形態に係る設定システム２では、制御装置２５０がユーザ端末２１０から直接的に受信した接続要求信号に対してのみ処理を行うので、複数の通信処理装置２００から転送された接続要求信号を全て処理する場合と比較して制御装置２５０の負荷を削減することができる。また、第２の実施の形態に係る設定システム２では、予め論理回線によってユーザ端末と接続されている制御装置のみが接続要求信号を受信するので、ネットワーク内のトラヒックを抑えることができる。
【００９７】
［第３の実施の形態］
上記の第２の実施の形態では、設定システム２は、制御装置２５０がユーザ端末２１０から接続要求を直接的に受信する場合を説明したが、これに限定されない。具体的には、設定システム２では、制御装置２５０は、受信装置を介して、ユーザ端末２１０から送信された接続要求を受信してもよい。例えば、第３の実施の形態では、設定システム３は、複数の通信処理装置２００と、受信装置４００と、制御装置３５０とを有する。受信装置４００は、論理回線によって接続されるユーザ端末３１０から論理回線を介して接続要求を受信する受信部４３５と、受信部４３５によって受信された接続要求を制御装置３５０に転送する転送部４３６とを有する。制御装置３５０は、転送部４３６によって転送された接続要求に基づいて、複数の通信処理装置２００のうちユーザ端末３１０と通信を行う通信処理装置２００を決定する決定部２８６と、決定部２８６によって決定された通信処理装置２００とユーザ端末３１０とを論理回線によって接続する設定を行う設定部２８７とを有する。この点について、図１３〜図１６を用いて詳細に説明する。なお、上記の実施の形態と同様の機能を発揮する機能部については同一の符号を付し、その説明を省略することとする。
【００９８】
［設定システムの構成］
図１３を用いて、第３の実施の形態に係る設定システム３の構成を説明する。図１３は、第３の実施の形態に係る設定システム３の構成を示す図である。設定システム３は、ユーザ端末３１０１〜３１０４と、複数の通信処理装置２００１〜２００２と、受信装置４００と、制御装置３５０とを有する。ユーザ端末３１０１〜３１０４と、通信処理装置２００１〜２００２と、受信装置４００と、制御装置３５０とは、ネットワークＮを介して通信を行う。
【００９９】
なお、以下では、ユーザ端末３１０１〜３１０４を区別しない場合には、ユーザ端末３１０と表記する場合がある。また、通信処理装置２００１〜２００２を区別しない場合には、通信処理装置２００と表記する場合がある。
【０１００】
ユーザ端末３１０は、ユーザ端末２１０と同一の通信機能を有する端末装置である。例えば、ユーザ端末３１０は、予め論理回線によって受信装置４００と接続される。そして、ユーザ端末３１０は、論理回線を介して受信装置４００に接続要求を送信する。一例としては、ユーザ端末３１０は、接続要求を送信する前に、受信装置４００と論理回線によって接続される。
【０１０１】
受信装置４００は、ユーザ端末３１０と制御装置４００との間の通信を中継する装置である。具体的には、ユーザ端末３１０から送信される接続要求を制御装置４００に中継する。例えば、受信装置４００は、ユーザ端末３１０と予め論理回線によって接続される。そして、受信装置４００は、ユーザ端末３１０から論理回線を介して接続要求を受信する。一例としては、受信装置４００は、ユーザ端末３１０から接続要求を受信する前に、ユーザ端末３１０と論理回線によって接続される。そして、受信装置４００は、ユーザ端末３１０から受信した接続要求を制御装置３５０に転送する。
【０１０２】
制御装置３５０は、制御装置２５０と同一の機能を有するサーバである。制御装置３５０は、受信装置４００から接続要求を受信する。例えば、制御装置３５０は、予め論理回線によって接続された受信装置４００から論理回線を介して接続要求を受信する。言い換えると、制御装置３５０は、受信装置４００を介して、ユーザ端末３１０から接続要求を受信する。
【０１０３】
［受信装置の構成］
図１４は、第３の実施の形態に係る受信装置の構成を示す図である。図１４に示すように、受信装置４００は、通信Ｉ／Ｆ部４３０と、制御部４３２とを有する。
【０１０４】
通信Ｉ／Ｆ部４３０は、他の装置との間で通信制御を行うインタフェースである。通信Ｉ／Ｆ部４３０は、ネットワークＮを介して他の装置と各種情報を送受信する。例えば、通信Ｉ／Ｆ部４３０は、Ｌ２スイッチであるＬ２ＳＷを介して、予め論理回線によって接続されるユーザ端末３１０から論理回線を介して接続要求信号を受信する。また、通信Ｉ／Ｆ部４３０は、制御装置３５０に接続要求信号を送信する。通信Ｉ／Ｆ部４３０としては、ＬＡＮカードなどのネットワークインタフェースカードを採用できる。
【０１０５】
制御部４３２は、受信部４３５と、転送部４３６とを有する。
【０１０６】
受信部４３５は、ユーザ端末３１０から接続要求を受信する。例えば、受信部４３５は、論理回線によって接続されるユーザ端末３１０から論理回線を介して接続要求を受信する。
【０１０７】
転送部４３６は、受信部４３５によって受信された接続要求を制御装置３５０に転送する。例えば、転送部４３６は、受信部４３５によって接続要求が受信された場合に、論理回線を介してかかる接続要求を制御装置３５０に転送する。
【０１０８】
［制御装置の構成］
図１５は、第３の実施の形態に係る制御装置の構成を示す図である。図１５に示すように、制御装置３５０は、通信Ｉ／Ｆ部１８０と、記憶部１８１と、制御部３８２とを有する。制御部３８２は、受信部３８５と、決定部２８６と、設定部２８７と、送信部２８８とを有する。
【０１０９】
受信部３８５は、受信装置４００から接続要求を受信する。例えば、受信部３８５は、ユーザ端末３１０から送信された接続要求を、論理回線によって接続された受信装置４００から論理回線を介して受信する。
【０１１０】
［処理手順］
次に、図１６を用いて、第３の実施の形態に係る設定システム３における設定処理の流れについて説明する。図１６は、第３の実施の形態に係る設定システムにおける設定処理の流れを示すシーケンス図である。
【０１１１】
図１６の例では、設定システム３は、ユーザがユーザ端末３１０を用いて通信サービスを利用する際に接続を要求する操作を実行した場合に、設定処理を開始する。
【０１１２】
具体的には、まず、ユーザ端末３１０は、ユーザから接続要求の操作を受け付けた場合に、予め論理回線によって接続される受信装置４００に接続要求を送信する（ステップＳ３０１）。これにより、受信装置４００は、論理回線によって接続されるユーザ端末３１０から論理回線を介して接続要求を受信する。
【０１１３】
その後、受信装置４００は、ユーザ端末３１０から受信した接続要求を制御装置３５０に転送する（ステップＳ３０２）。これにより、制御装置３５０は、ユーザ端末３１０から接続要求を受信する。
【０１１４】
その後、制御装置３５０は、受信した接続要求に基づいて、複数の通信処理装置２００のうちユーザ端末３１０と通信を行う通信処理装置２００を決定する（ステップＳ３０３）。また、制御装置３５０は、決定された通信処理装置２００とユーザ端末３１０とを論理回線によって接続する設定を行う（ステップＳ３０４）。また、制御装置３５０は、ユーザ個別転送処理動作規定に基づく設定を行う。
【０１１５】
そして、制御装置３５０は、決定した通信処理装置２００をユーザ端末３１０と対応付けてユーザ情報記憶部１９０に格納する（ステップＳ３０５）。その後、制御装置３５０は、通信処理装置２００のユーザ毎論理処理機能部とユーザ端末３１０との接続に関する情報である設定信号を、決定した通信処理装置２００に送信する（ステップＳ３０６）。
【０１１６】
そして、通信処理装置２００は、設定信号として受信した情報をユーザ情報記憶部１４０に格納する（ステップＳ３０７）。その後、通信処理装置２００は、回答信号をユーザ端末３１０に送信する（ステップＳ３０８）。具体的には、通信処理装置２００は、ステップＳ３０１において送信された接続要求の送信元であるユーザ端末３１０に回答信号を送信する。これにより、ユーザ端末３１０は、接続先となる通信処理装置２００から回答信号を受信する。そして、ユーザ端末３１０は、回答信号を受信した場合に、回答信号の送信元である通信処理装置２００のユーザ毎論理処理機能部と通信を開始する（ステップＳ３０９）。
【０１１７】
［第３の実施の形態の効果］
このように、第３の実施の形態に係る設定システム３は、複数の通信処理装置２００と、受信装置４００と、制御装置３５０とを有する。受信装置４００は、論理回線によって接続されるユーザ端末３１０から論理回線を介して接続要求を受信する受信部４３５と、受信部４３５によって受信された接続要求を制御装置３５０に転送する転送部４３６とを有する。制御装置３５０は、転送部４３６によって転送された接続要求に基づいて、複数の通信処理装置２００のうちユーザ端末３１０と通信を行う通信処理装置２００を決定する決定部２８６と、決定部２８６によって決定された通信処理装置２００とユーザ端末３１０とを論理回線によって接続する設定を行う設定部２８７とを有する。
【０１１８】
これにより、第３の実施の形態に係る設定システム３では、制御装置３５０は、受信装置４００から受信した接続要求信号に対してのみ処理を行うので、複数の通信処理装置から転送された接続要求信号を処理する場合と比較して制御装置３５０の負荷を削減することができる。また、第３の実施の形態に係る設定システム３では、予め論理回線によってユーザ端末と接続されている受信装置４００が接続要求信号を送受信するので、ネットワーク内のトラヒックを抑えることができる。
【０１１９】
以上、本発明のいくつかの実施例を説明したが、これらの実施例は、例として提示したものであり、発明の範囲を限定することは意図していない。これら実施例は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１２０】
上記の実施例では、通信処理装置１００、２００または３００は、サーバである場合の例を示したが、ルータであってもよい。この場合について、図１７を用いて説明する。図１７は、変形例に係る設定処理の一例を説明するための説明図である。図１７に示すように、設定システム１では、ルータである複数の通信処理装置１００１〜１００２は、電話サービスなど各種のサービスを提供するコアネットワークＣＮと接続される。
【０１２１】
図１７の例では、設定システム１が、ユーザ端末１０４と通信を開始するコアネットワークＣＮのルータとして通信処理装置１００１のユーザ毎論理処理機能部＃２を設定したものとする。この場合、ユーザ端末１０４は、接続要求信号Ｔｒ１に対する回答信号Ｔｒ３を受信した場合に、通信処理装置１００１のユーザ毎論理処理機能部＃２を介して、コアネットワークＣＮと通信を開始する。例えば、ユーザ端末１０４は、コアネットワークＣＮが提供するサービスを利用するためのパケットを通信処理装置１００１のユーザ毎論理処理機能部＃２に送信する。これにより、通信処理装置１００１のユーザ毎論理処理機能部＃２は、ユーザ端末１０４からパケットを受信する。そして、通信処理装置１００１のユーザ毎論理処理機能部＃２は、受信したパケットをコアネットワークＣＮに転送する。これにより、ユーザ端末１０４は、通信処理装置１００１のユーザ毎論理処理機能部＃２を介して、コアネットワークＣＮと通信を開始する。
【０１２２】
このように、設定システム１では、ユーザ端末１０は、ルータを介してコアネットワークＣＮと通信を開始する。これにより、設定システム１では、ユーザ端末１０は、各種のサービスが提供される他網のネットワークを利用することができるので、多様なサービスを利用することができる。
【０１２３】
上記の実施例では、通信処理装置１００、２００または３００は、複数のユーザ毎論理処理機能部を有する１台のサーバである場合を示したが、これに限定されず、各種の形態であってもよい。例えば、通信処理装置１００、２００または３００は、複数のサーバによって形成される通信処理システムであってもよい。この場合、複数のサーバは、例えば、ユーザ毎論理処理機能部に相当する機能をそれぞれ有する。
【０１２４】
上記の実施例において図示した各装置の各構成要素は機能概念的なものであり、必ずしも物理的に図示された構成要素と同一であることを要しない。すなわち、各装置の分散・統合の具体的形態（例えば、図２や図４の形態）は図示のものに限られず、その全部または一部を、各種の負荷や使用状況などに応じて、任意の単位で機能的または物理的に分散・統合して構成することができる。例えば、受信部１８５と送信部１８８とを一つの部として統合してもよく、一方、設定部１８７を、論理回線を設定する論理回線設定部と、ユーザ個別転送処理動作規定を設定するユーザ設定部とに分散してもよい。
【０１２５】
また、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１２６】
また、上記の実施例において説明した各処理のうち、自動的に行われるものとして説明した処理の全部または一部を手動的に行うこともできる。あるいは、手動的に行われるものとして説明した処理の全部または一部を公知の方法で自動的に行うこともできる。
【符号の説明】
【０１２７】
１    設定システム
１０  ユーザ端末
１００  通信処理装置
１３５  受信部
１３６  転送部
１５０  制御装置
１８６  決定部
１８７  設定部
【図１】
0006449667.tif 000002
【図２】
0006449667.tif 000003
【図３】
0006449667.tif 000004
【図４】
0006449667.tif 000005
【図５】
0006449667.tif 000006
【図６】
0006449667.tif 000007
【図７】
0006449667.tif 000008
【図８】
0006449667.tif 000009
【図９】
0006449667.tif 000010
【図１０】
0006449667.tif 000011
【図１１】
0006449667.tif 000012
【図１２】
0006449667.tif 000013
【図１３】
0006449667.tif 000014
【図１４】
0006449667.tif 000015
【図１５】
0006449667.tif 000016
【図１６】
0006449667.tif 000017
【図１７】
0006449667.tif 000018
【図１８】
0006449667.tif 000019
【図１９】
0006449667.tif 000020
【図２０】
0006449667.tif 000021